(57)【要約】【課題】この発明は単に着座すだけでなく、他の用途にも使用することができるようにしたソファーを提供することにある。【解決手段】複数の利用者が並んで着座可能なソファーであって、上記利用者が着座するとともに幅方向一端部に幅方向他端部に向かって起上可能な第１の起伏部８が設けられた座部体２と、この座部体の上記幅方向と交差する前後方向後端に設けられた背部体３と、上記座部体の上記第１の起伏部を起伏駆動するガススプリング２１と、上記第１の起伏部に設けられ上記座部体の幅方向に沿って往復駆動されるマッサージローラ７２を有するマッサージユニット５０とを具備する。【選択図】    図２
2004321384.tif 000002
【特許請求の範囲】
【請求項１】
複数の利用者が並んで着座可能なソファーであって、
上記利用者が着座するとともに幅方向一端部に幅方向他端部に向かって起上可能な第１の起伏部が設けられた座部体と、
この座部体の上記幅方向と交差する前後方向後端に設けられた背部体と、
上記座部体の上記第１の起伏部を起伏駆動する駆動手段と、
上記第１の起伏部に設けられ上記座部体の幅方向に沿って往復駆動されるマッサージローラを有するマッサージユニットと
を具備したことを特徴とするソファー。
【請求項２】
上記座部体には、幅方向中央部に上記第１の起伏部側の一端を支点として起伏可能に設けられた第２の起伏部と、幅方向他端部に一端を上記第２の起伏部の他端に回動可能に連結した第３の起伏部とが設けられ、
上記第２の起伏部と第３の起伏部とは、上記第１の起伏部の起上に連動して山型状に起上することを特徴とする請求項１記載のソファー。
【請求項３】
上記座部体の幅方向両端部は、上方に向かって隆起したアームレスト部に形成されていることを特徴とする請求項１記載のソファー。
【請求項４】
上記座部体は、上記第１乃至第３の起伏部が設けられた座枠体と、上記各起伏部の上面に除去可能に載置される上部クッション体とを有し、
上記マッサージユニットのローラは不使用時に上記座部体の幅方向一端部の上記アームレストの部分に退避可能であることを特徴とする請求項３記載のソファー。
【請求項５】
上記第１の起伏部は、上記第２の起伏部側の一端が回転軸によって上記座枠体に回動可能に支持されていて、
上記駆動手段は、伸縮することで上記回転軸を回転させて上記第１の起伏部を起伏させるガススプリングであることを特徴とする請求項４記載のソファー。
【請求項６】
上記第１の起伏部は上記第２の起伏部側の一端が回転軸によって上記基体に回動可能に支持されていて、
上記駆動手段は、モータと、このモータによって進退駆動される駆動軸とを有し、この駆動軸の進退によって上記回転軸を回転させて上記第１の起伏部を起伏させることを特徴とする請求項４記載のソファー。
【発明の詳細な説明】
【０００１】
【発明の属する技術分野】
この発明は複数の利用者が並んで腰掛けることができる長さを有するソファーに関する。
【０００２】
【従来の技術】
周知のように、ソファーは座部体と、この座部体の前後方向後端に設けられた背部体とから構成されており、利用者は通常、上記座部体に着座し、背部体に寄り掛って利用する。
【０００３】
たとえば、リビングルームなどに設置されるソファーとしては、複数の利用者が並んで腰掛けることができる長尺なタイプが用いられることが多い。しかしながら、ソファーを単に利用者が腰掛けるために利用するだけでなく、他の用途にも利用できるようにすることで、その付加価値を高めることが要望されている。
【０００４】
【発明が解決しようとする課題】
このように、従来のソファーは用途が限られていたので、その付加価値が低いということがあるため、付加価値を向上させることが望まれていた。
【０００５】
この発明は、マッサージ装置として利用できるようにすることで、付加価値の向上を図るようにしたソファーを提供することにある。
【０００６】
【課題を解決するための手段】
この発明は、複数の利用者が並んで着座可能なソファーであって、
上記利用者が着座するとともに幅方向一端部に幅方向他端部に向かって起上可能な第１の起伏部が設けられた座部体と、
この座部体の上記幅方向と交差する前後方向後端に設けられた背部体と、
上記座部体の上記第１の起伏部を起伏駆動する駆動手段と、
上記第１の起伏部に設けられ上記座部体の幅方向に沿って往復駆動されるマッサージローラを有するマッサージユニットと
を具備したことを特徴とするソファーにある。
【０００７】
上記座部体には、幅方向中央部に上記第１の起伏部側の一端を支点として起伏可能に設けられた第２の起伏部と、幅方向他端部に一端を上記第２の起伏部の他端に回動可能に連結した第３の起伏部とが設けられ、
上記第２の起伏部と第３の起伏部とは、上記第１の起伏部の起上に連動して山型状に起上することが好ましい。
【０００８】
上記座部体の幅方向両端部は、上方に向かって隆起したアームレスト部に形成されていることが好ましい。
【０００９】
上記座部体は、上記第１乃至第３の起伏部が設けられた座枠体と、上記各起伏部の上面に除去可能に載置される上部クッション体とを有し、
上記マッサージユニットのローラは不使用時に上記座部体の幅方向一端部の上記アームレストの部分に退避可能であることが好ましい。
【００１０】
上記第１の起伏部は、上記第２の起伏部側の一端が回転軸によって上記座枠体に回動可能に支持されていて、
上記駆動手段は、伸縮することで上記回転軸を回転させて上記第１の起伏部を起伏させるガススプリングであることが好ましい。
【００１１】
上記第１の起伏部は上記第２の起伏部側の一端が回転軸によって上記基体に回動可能に支持されていて、
上記駆動手段は、モータと、このモータによって進退駆動される駆動軸とを有し、この駆動軸の進退によって上記回転軸を回転させて上記第１の起伏部を起伏させることが好ましい。
【００１２】
この発明によれば、第１の起伏部を起上させ、この第１の起伏部に寄り掛れば、利用者は第１の起伏部に設けられたマッサージユニットによって背面にマサージを受けることができる。
【００１３】
【発明の実施の形態】
以下、図面を参しながらこの発明の実施の形態を説明する。
【００１４】
図１乃至図１０はこの発明の第１の実施の形態を示す。図１（ａ），（ｂ）は複数人、たとえば二人が並んで腰掛けることができるソファー１を示し、このソファー１は座部体２と、この座部体２の前後方向後端に立設された背部体３を備えている。
【００１５】
上記座部体２は四隅部下面に脚４が設けられた座枠体５を有する。この座枠体５の内部には受け枠６が設けられている。この受け枠６には起伏ユニット７が設けられている。この起伏ユニット７は、図１乃至図４に示すように、上記座部体２の前後方向と交差する幅方向一端から順次設けられた第１の起伏部８、第２の起伏部９及び第３の起伏部１０からなる。
【００１６】
上記第１の起伏部８はパイプ材を矩形枠状に形成したパイプフレーム１１を有する。このパイプフレーム１１には、上記座部体２の幅方向中央部側に位置する一端に、図３と図５に示すように回転軸１２が帯板状の連結部材１３によって取付け固定されている。さらに、パイプフレーム１１の一端部下面には補強板１５が固着されている。
【００１７】
図３に示すように、上記回転軸１２の両端部は上記受け枠６の幅方向中途部内面に設けられた一対の受け具１６に回転可能に支持されている。この回転軸１２の軸方向中途部には、図２と図５に示すように第１のアーム１８の一端が固着されている。上記補強板１５の下面の座部体２の前後方向に沿う中途部には、一端を上記第１のアーム１８の他端部に連結固定した第２のアーム１９が取付け固定されている。
【００１８】
上記第１のアーム１８の他端は、駆動手段としてのガススプリング２１のシリンダ２２の後端に枢着されている。シリンダ２２の先端面からはガス圧によって突出方向に付勢された駆動軸２３が突出可能に設けられている。この駆動軸２３の先端にはブラケット２４が取着され、このブラケット２４は上記座枠体５の幅方向他端部寄りの中途部下面に設けられた取付け金具２５に枢着されている。この取付金具２５は、図３に示すように座枠体５の前後方向に沿って架設された桟部材２５ａの中途部に固着されている。
【００１９】
この取付け金具２５にはレバー２６が一端を枢着して設けられている。この作動レバー２６の中途部は上記上記ガススプリング２１の駆動軸２３の先端から突出した作動子２７に対向している。上記作動レバー２６の他端には操作ワイヤ２９の一端が連結されている。
【００２０】
上記座部体５の幅方向中途部で、前後方向の前端部には支持板３１が設けられている。この支持板３１にはＬ字状片３２が中途部を枢着して設けられている。このＬ字状片３２の一端には上記操作ワイヤ２９が連結され、他端には操作ハンドル３３が設けられている。Ｌ字状片３２の一端部はばね３４によってこのＬ字状片３２が図５に矢印で示す上昇方向に付勢されている。
【００２１】
上記操作ハンドル３３をばね３４の付勢力に抗して下降方向へ回動させれば、操作ワイヤ２９が引かれて作動レバー２６が回動するから、この作動レバー２６によってガススプリング２１の作動子２７が押圧される。それによって、ガススプリング２１の駆動軸２３がガス圧によって突出方向に作動するから、その作動にともなって第１のアーム１８と第２のアーム１９とが図５に矢印で示す時計方向に回動する。
【００２２】
上記第１、第２のアーム１８、１９が回動すると、その回動に回転軸１２が連動するから、この回転軸１２とともに第１の起伏部８が回転軸１２が設けられた一端を支点として他端が上昇する方向に回動する。つまり、第１の起伏部８は座部体２の幅方向に沿って起伏可能となっている。
なお、起上した第１の起伏部８を倒伏させるには、操作レバー３３を操作した状態でガス圧に抗して倒伏方向へ押圧すればよい。
【００２３】
上記第２の起伏部９は枠体３７からなり、この枠体３７の上記第１の起伏部側に位置する一端部の両端には支軸３８が設けられている。この一対の支軸３８は上記受け枠６の内面に設けられた一対の受け具３９に回動可能に支持されている。それによって、第２の起伏部８は一端に設けられた支軸３８を支点として他端が上昇する方向に回動できるようになっている。
【００２４】
上記座部体２の幅方向他端部には上記第３の起伏部１０が設けられている。この第３の起伏部１０は、一端を上記第２の起伏部８の他端に枢着した枠体４１を有し、この枠体４１の他端の幅方向両端にはそれぞれローラ４２が回転可能に取り付けられている。一対のロ−ラ４２は図７（ｂ）に示すように上記受け枠６の幅方向端部内面に設けられたチャンネル状の受け部４３に沿って転動可能となっている。
【００２５】
なお、上記第２の起伏部９と第３の起伏部１０との枠体３７、４１にはそれぞれ座部体２の前後方向に沿う複数のベルト４４が幅方向に所定間隔で架設されている。
【００２６】
上記第２の起伏部９と第３の起伏部１０との連結部分の下面に対応する部位には、それぞれへの字状をなした回動アーム４５が中途部を上記桟部材２５ａに固着された取付け金具４６（図２に示す）に枢着されている。
【００２７】
上記回動アーム４５の上記第２の起伏部９の下面側に対向位置する一端には押上げローラ４７が回転可能に取付けられている。この回動アーム４５の他端には連動レバー４８の一端が枢着されている。この連動レバー４８の他端は上記第１のアーム１８の他端に枢着されている。
【００２８】
上記ガススプリング２１を作動させて上記第１の起伏部８を起上方向に回動させると、上記第１のアーム１８の回動に上記連動レバー４８が連動して図２に矢印で示す方向へ移動する。それによって、回動アーム４５が中途部を支点としてローラ４２が設けられた他端が上昇する方向に回動するから、上記ローラ４２は第２の起伏部９の枠体３７の下面に設けられた当て板４２ａ（図６（ｂ）に示す）を押圧する。それによって、第２の起伏部９は一端に設けられた支軸３８を支点として他端が上昇する方向に起上する。
【００２９】
第２の起伏部９の他端が上昇すると、この他端に一端が枢着された第３の起伏部１０が一端を上昇させる方向に起上する。このとき、第３の起伏部１０の他端は、その端部に設けられたローラ４２が受け部４３上を転動する。それによって、起伏ユニット７は、図４に示すように第１の起伏部８が垂直よりもやや小さな角度、たとえば７５〜８０度に起立し、第２の起伏部９と第３の起伏部１０とはほぼ山型状に屈曲する。
【００３０】
なお、第１の起伏部８は、図４に示す角度が最大起上角度であって、起上時に最大角度になる前に操作ハンドル３３によるガススプリング２１の作動を停止すれば、そのときの角度で保持できるようになっている。
【００３１】
上記第１の起伏部８にはマッサージユニット５０が設けられている。つまり、図８に示すように第１の起伏部８のパイプフレーム１１が取付けられた基板５０ａを有し、この基板５０ａの起伏方向と交差する方向には、一対の横桟５１が座部体２の前後方向に所定間隔で離間して設けられている。一対の横桟５１の互いに対向する側面にはラック５２が設けられている。このラック５２には図１０に示すようにマッサージユニット５０の幅方向両側に設けられたそれぞれ一対のピニオン５４が噛合する。
【００３２】
図９に示すように、上記マッサージユニット５０にはナット体５５が設けられている。このナット体５５には駆動ねじ軸５６が螺合している。この駆動ねじ軸５６は座部体２の幅方向に沿って設けられ、先端部は図３に示すように第１の駆動モータ５７に動力伝達機構５８を介して連結されている。それによって、第１の駆動モータ５７が作動すると、上記動力伝達機構５８を介して上記駆動ねじ軸５６が回転駆動されるようになっている。第１の駆動モータ５７によって駆動ねじ軸５６が回転されると、その回転方向に応じて上記マッサージユニット５０が座部体２の幅方向に沿って往復駆動される。
【００３３】
図９に示すように、上記マッサージユニット５０の一側にはアクチュエータ５９が一方のピニオン５４側に突出して設けられている。一方のラック５２の長手方向一端部と他端部とにはそれぞれ上記マッサージユニット５０の移動距離を設定する一対のリミットスイッチ（図示せず）が設けられている。
【００３４】
上記アクチュエータ５９がどちらか一方のリミットスイッチを作動させることで、上記駆動モータ５７の回転方向が変換され、上記マッサージユニット５０の走行方向が切り替わるようになっている。つまり、マッサージユニット５０は第１の起伏部８で座部体２の幅方向に沿って往復駆動されるようになっている。
【００３５】
上記マッサージユニッ５０にはメカボックス６２が設けられている。このメカボックス６２内には半回転クラッチ６３が設けられている。この半回転クラッチ６３は第１の取付け軸６４と第２の取付け軸６５との一端部を連結している。各取付け軸６４，６５は軸線をマッサージユニット５０の走行方向と直交させて配置され、それぞれの他端部は軸受６１によって回転可能に支持されている。
【００３６】
図９に示すように、上記マッサージユニット５０は第２の駆動モータ６６を有する。この第２の駆動モータ６６の回転軸６６ａは上記メカボックス６２内に突出し、その突出端にはウオーム６６ｂが設けられ、このウオーム６６ｂは上記第１の取付け軸６４に設けられたウオームホイール６６ｃに噛合している。
【００３７】
それによって、半回転クラッチ６３によって連結された第１の取付け軸６４と第２の取付け軸６５とは、上記第２の駆動モータ６６によって回転駆動されるようになっている。
【００３８】
上記第１の取付け軸６４と第２の取付け軸６５との上記メカボックス６２から突出した他端部には、図１０に示すようにそれぞれ回転盤６７が設けられている。各回転盤６７は各取付け軸６４，６５に対して偏心し、かつ所定の角度で傾斜して取付けられている。各偏心盤６７には取付け板６８が偏心盤６７に対して相対的に回転可能に設けられている。つまり、一対の取付け板６８は図９に示すようにほぼＶ字状に傾斜していて、その中心部に上記偏心盤６７に回転可能に外嵌する取付け孔６９（図１０に示す）が形成されている。
【００３９】
上記偏心盤６７の一側面と他側面とには上記取付け孔６９よりも大径な押え部材７１が一体的に設けられている。一対の押え部材７１の周辺部は上記取付け板６８の両側面を挟持している。それによって、上記回転盤６７は上記取付け孔６９から外れないよう保持されている。
【００４０】
図９に示すように、各取付け板６８の一端部と他端部とにはそれぞれマッサージローラ７２が回転可能に取付けられている。一対の取付け板６８の傾斜方向が逆向きの状態（Ｖ字状）で、第１、第２の取付け軸６４，６５を第２の駆動モータ６６によって回転させると、一対の取付け板６８は偏心盤６７によって矢印で示すように一端部と他端部とが接離する方向に揺動駆動される。それによって、上記取付け板６８の一端部と他端部とに設けられたそれぞれ一対のマッサージローラ７２は図４に示すように所定の角度で起上した第１の起伏部８の前面に寄り掛った利用者の背面に対して揉み動作を行なう。
【００４１】
第２の駆動モータ６６の回転軸６６ａを、揉み動作のときと逆方向に回転させると、第１の取付け軸６４だけが１８０度回転した後、半回転クラッチ６３によって第２の取付け軸６５が連動する。
【００４２】
それによって、第１の取付け軸６４に取付けられた取付け板６８と第２の取付け軸６５に取付けられた取付け板６８とが同方向に傾斜した状態で偏心盤６７の偏心回転に応じて変位するから、各取付け板６８に設けられたマッサージローラ７２によって叩き動作が行なわれることになる。
なお、図示しないが、マッサージユニット５０が設けられた第１の起伏部８は、少なくとも上面が十分な弛みを持った状態の布地によって覆われている。
【００４３】
図８に示すように、上記第１の起伏部８のパイプフレーム１１の上面には第１の下部クッション体７５がマッサージローラ７２の沿う広範囲を除く部分に設けかれている。上記第２の起伏部９と第３の起伏部１０との枠体３７、４１の上面には第２の下部クッション体７６が設けられている。
【００４４】
図２に示すように、第１の下部クッション体７５と第２の下部クッション体７６との、座部体２の幅方向両端部に対応する部分は、他の部分よりも上方に隆起した隆起部７５ａ，７６ａに形成されている。第２の下部クッション体７６は、第２の起伏部９と第３の起伏部１０とが山型状に屈曲したときにそれに応じて屈曲するよう、上下二層に分割され、下層は２つに分断され、上層は下面に開放した楔状の切り込み部７７が形成されている。それによって、第２、第３の起伏部９、１０が山型状に屈曲したとき、その屈曲に応じて湾曲する。
【００４５】
上記第１の起伏部８には、図２に示すようにマッサージユニット５０を第１の起伏部８の端部、つまり座部体２の幅方向一端部に位置させたとき、第１の起伏部８に生じる凹部、つまりマッサージユニット５０の走行部分となる凹部に、この第１の起伏部８を被覆した外装地の上面側から補助クッション体７８が設けられる。
【００４６】
上記補助クッション体７８を第１の起伏部８の凹部に落とし込むと、その上面は第１の起伏部８のパイプフレーム１１の上面に設けられた第１の下部クッション体７５の上面とほぼ面一になる。
【００４７】
図２に示すように、上記第１、第２の下部クッション体７５、７６の上面には上部クッション体８１が着脱可能に載置される。上部クッション体８１は、着座部８１ａと、この着座部８１ａの両端に設けられた座部体２の幅方向両端部に対応する一対のアームレスト部８１ｂとを有し、一対のアームレスト部８１ｂは、上記第１、第２の下部クッション体７５、７６の隆起部７５ａ，７６ａによって他の部分よりも高くなっている。したがって、利用者が上記上部クッション体８１の着座部８１ａに着座すれば、アームレスト部８１ｂに肘を載せることができる。
【００４８】
つぎに、上記構成のソファーの利用形態について説明する。
【００４９】
図２に示すように、第１乃至第３の起伏部８〜１０が水平に倒伏した状態では、利用者はソファー１として利用することができる。ソファー１として利用する場合、上部クッション体８１の両端部のアームレスト部８１ｂが第１、第２のクッション体７５，７６の隆起部７５ａ，７６ａによって上方に高く保持されている。そのため、利用者は上記アームレスト部８１ｂに肘を載せて利用することができる。
【００５０】
ソファー１として利用する場合、第１の起伏部８に設けられたマッサージユニット５０のマッサージローラ７２をアームレスト部８１ｂの下方に位置させておく。それによって、上部クッション体８１の着座部８１ａに着座した利用者に、上記マッサージローラ７２の硬さが伝わることがないから、第１の起伏部８にマッサージユニット５０を設けても、ソファー１としての性能が低下することがない。
【００５１】
さらに、マッサージローラ７２をアームレスト８１ｂの下方に位置させるとともに、第１の起伏部８のマッサージローラ７２が走行する部分に補助クッション体７８を落とし込み、この補助クッション体７８の上面を、第１の起伏部８の上面に設けられる第１の下部クッション体７５の上面とほぼ同じ高さにするようにした。
【００５２】
そのため、第１の起伏部８の上面に着座した利用者の臀部が第１の起伏部８内に落ち込むことがないから、第１の起伏部８にマッサージユニット５０を設けても、このマッサージユニット５０によってソファー１としての機能が損なわれることがない。
【００５３】
上部クッション体８１を除去するとともに、第１の起伏部８から補助クッション体７８を除去し、座部体２の下面に設けられた操作ハンドル３３を操作してガススプリング２１を作動させる。それによって、第１の起伏部８は図４に示すように所定の角度で起上し、この第１の起伏部８の起上に連動して第２の起伏部９と第３の起伏部１０とがほぼ山型状に屈曲する。
【００５４】
したがって、利用者は第１の起伏部８に寄り掛り、第２、第３の起伏部９、１０によって脚部を屈強させた姿勢で着座することができるから、リクライニング式のソファー１として利用することができる。
【００５５】
利用者が起上した第１の起伏部８に寄り掛った状態で、マッサージユニット５０を起上した第１の起伏部８の上下方向に沿って往復駆動する。それによって、利用者は往復走行するマッサージローラ７２によって背面にマッサージを受けることができる。
【００５６】
マッサージを受ける際、利用者の臀部が位置する第２の起伏部９が第１の起伏部８側に向かって低く傾斜している。そのため、利用者は臀部が第１の起伏部８側に滑り易いから、腰部や背部を起立した第１の起伏部８の前面に強く押し当てることが可能となる。つまり、リクライニング式のソファー１の状態でマッサージを受けることで、利用者は背面をマッサージローラ７２に強く押し当てることが可能となる。
【００５７】
上記第１の起伏部８は図４に示す角度だけでなく、途中の角度で保持することもできる。第１の保持部８の起立角度を図４に示す角度よりも小さくすれば、利用者の上半身が後方へ倒れる角度も大きくなる。それによって、利用者の背面が第１の起伏部８に押し当てる強さを変えることができる。つまり、利用者は、第１の起伏部８の起立角度を変えることで、背部に作用するマッサージの強さを変えることができる。
【００５８】
なお、リクライニング式のソファー１として利用する場合、上部クッション体８１が第１乃至第３の起伏部８〜１０の起伏に応じて屈曲可能であれば、上部クッション体８１を取外さずに利用することができる。
【００５９】
図１１はこの発明の第２の実施の形態を示す。この実施の形態は第１の起伏部８を起伏駆動する駆動手段としてガススプリングに代えてモータ８７を用いるようにした。すなわち、座枠体５に設けられた取付け金具２５には上記モータ８７が枢着されている。このモータ８７には筒体８８が連結され、この筒体８８に進退可能に駆動軸８９が収容されている。
【００６０】
上記駆動軸８９は上記モータ８７が作動すると、軸方向に進退するようになっている。駆動軸８９の先端は第１のアーム１８の他端に枢着されている。それによって、駆動軸８９が筒体８８から突出する方向に駆動されれば、上記第１の起伏体８が起上方向に駆動されることになる。
【００６１】
この発明は上記各実施の形態に限定されるものでなく、たとえば、座部体に第１乃至第３の起伏部を設けるようにしたが、ソファーをマッサージ装置として利用することを考えた場合には、座部体には第２、第３の起伏部を設けず、第１の起伏部だけを起伏可能に設ければよい。
【００６２】
【発明の効果】
以上のようにこの発明は、座部体にマッサージユニットが設けられた第１の起伏部を起上可能に設けた。
【００６３】
そのため、第１の起伏部を所定の角度で起上させ、利用者がこの第１の起伏部に寄り掛ることで、普通のソファーをリクライニング式のソファーとして利用することができる。しかも、上記第１の起伏部に寄り掛った状態でマッサージユニットを作動させれば、利用者は背面にマッサージを受けることができる。
【００６４】
すなわち、通常は二人以上の利用者が並んで腰掛けるだけのソファーであるが、第１の起伏部を起上させることで、リクライニング式のソファーやマッサージ器として利用できるため、付加価値の向上を図ることができる。
【図面の簡単な説明】
【図１】（ａ）はこの発明の第１の実施の形態に係るソファーの斜視図、（ｂ）は座部体から上部クッション体及び補助クッション体を除去して第１の起伏部を起上させたソファーの斜視図。
【図２】座部体を断面したソファーの正面図。
【図３】座部体からクッション体を除いた平面図。
【図４】第１の起伏部を起上させ多状態を座部体を断面して示すソファーの正面図。
【図５】座部体のガススプリングが設けられた部分の拡大断面図。
【図６】（ａ）は図２のＡ−Ａ線に沿う拡大断面図、（ｂ）は図２のＢ−Ｂ線に沿う拡大断面図。
【図７】（ａ）は図２のＣ−Ｃ線に沿う拡大断面図、（ｂ）は図２のＤ−Ｄ線に沿う拡大断面図。
【図８】マッサージユニットが設けられた第１の起伏部の平面図。
【図９】マッサージユニットの平面図。
【図１０】マッサージユニットの取付け軸と偏心盤との取付け構造の断面図。
【図１１】この発明の第２の実施の形体を示す座部体を断面したソファーの正面図。
【符号の説明】
２…座部体、３…背部体、８…第１の起伏部、９…第２の起伏部、１０…第３の起伏部、２１…ガススプリング（駆動手段）、５０…マッサージユニット、７２…マッサージローラ、８１…上部クッション体、８１ｂ…アームレスト部。
【図１】
2004321384.tif 000003
【図２】
2004321384.tif 000004
【図３】
2004321384.tif 000005
【図４】
2004321384.tif 000006
【図５】
2004321384.tif 000007
【図６】
2004321384.tif 000008
【図７】
2004321384.tif 000009
【図８】
2004321384.tif 000010
【図９】
2004321384.tif 000011
【図１０】
2004321384.tif 000012
【図１１】
2004321384.tif 000013